(57)【特許請求の範囲】
【請求項１】
熱交換器、送風機および熱交換器の下面を覆うドレンパンを収納した箱形の空気調和機本体と、この空気調和機本体の下面に取り付けられた化粧パネルとを備えた天井埋込型空気調和装置において、
前記空気調和機本体の補強部材が、前記熱交換器に接続された冷媒配管およびドレン配管を導出する方向に対して直交する方向に掛け渡されるように延在し、当該補強部材の両端部が前記空気調和機本体の側板の外側に連結された吊り金具にねじ止めされ、前記ドレンパンを下方から支持することを特徴とする天井埋込型空気調和装置。
【請求項２】
熱交換器、送風機および熱交換器の下面を覆うドレンパンを収納した箱形の空気調和機本体と、この空気調和機本体の下面に取り付けられた化粧パネルとを備えた天井埋込型空気調和装置において、
前記空気調和機本体は能力が増大する場合、熱交換器に接続された冷媒配管およびドレン配管を導出する方向に大型化し、
当該空気調和機本体の補強部材が、前記導出方向に直交する方向に掛け渡されるように延在し、当該補強部材の両端部が前記空気調和機本体の側板の外側に連結された吊り金具にねじ止めされ、前記ドレンパンを下方から支持することを特徴とする天井埋込型空気調和装置。
【発明の詳細な説明】
【０００１】
【発明の属する技術分野】
本発明は、天井埋込型空気調和装置の構造に関する。
【０００２】
【従来の技術】
一般に、熱交換器、送風機、ドレンポンプおよび熱交換器の下面を覆うドレンパンを収納した箱形の空気調和機本体と、この空気調和機本体の下面に取り付けられた化粧パネルとを備えた天井埋込型空気調和装置が知られている。
【０００３】
この種のものでは、空気調和機本体の一辺から他辺に掛け渡されて、下方からドレンパンを支持する補強部材を備えている。
【０００４】
【発明が解決しようとする課題】
ところで、従来の構成では、空気調和機本体の能力が増大する場合、冷媒配管とドレン配管との取り回しのため、冷媒配管とドレン配管との設置幅を一定に保ったまま、空気調和機本体を、熱交換器に接続された冷媒配管及びドレン配管を導出する方向に大型化させていた。この場合、補強部材が、熱交換器に接続された冷媒配管およびドレンポンプに接続されたドレン配管を導出する方向に対して平行方向に掛け渡されているとすれば、空気調和機本体の大型化に伴い、補強部材を空気調和機本体の形状に合わせて複数用意しなければならず部品コストが増大するという問題がある。
【０００５】
さらに、従来、ドレンパンと化粧パネルとの間に配置された電装箱が備えられ、この電装箱は、両端に取付金具を備え、２本の補強部材に挟まれるように補強部材に固定されていた。
【０００６】
このため、補強部材に連結する取付金具を電装箱の両端に備えなければならず、部品コストが増大するという問題がある。
【０００７】
そこで、本発明の目的は、空気調和機本体が大型化したとしても、補強部材を共通化することができ、部品コストを抑制することができる天井埋込型空気調和装置を提供することにある。
【０００８】
【課題を解決するための手段】
請求項１記載の発明は、熱交換器、送風機および熱交換器の下面を覆うドレンパンを収納した箱形の空気調和機本体と、この空気調和機本体の下面に取り付けられた化粧パネルとを備えた天井埋込型空気調和装置において、前記空気調和機本体の補強部材が、前記熱交換器に接続された冷媒配管およびドレン配管を導出する方向に対して直交する方向に掛け渡されるように延在し、当該補強部材の両端部が前記空気調和機本体の側板の外側に連結された吊り金具にねじ止めされ、前記ドレンパンを下方から支持することを特徴とする。
【０００９】
請求項１記載の発明では、補強部材が、冷媒配管およびドレン配管を導出する方向に対して直交する方向に掛け渡されているので、例えば、空気調和機本体が冷媒配管およびドレン配管を導出する方向に大型化しても、補強部材を共通使用することができる。このため、空気調和機本体の大きさに合わせ補強部材を複数種用意する必要がなく、部品コストを抑制することができる。
【００１０】
請求項２記載の発明は、熱交換器、送風機および熱交換器の下面を覆うドレンパンを収納した箱形の空気調和機本体と、この空気調和機本体の下面に取り付けられた化粧パネルとを備えた天井埋込型空気調和装置において、前記空気調和機本体は能力が増大する場合、熱交換器に接続された冷媒配管およびドレン配管を導出する方向に大型化し、当該空気調和機本体の補強部材が、前記導出方向に直交する方向に掛け渡されるように延在し、当該補強部材の両端部が前記空気調和機本体の側板の外側に連結された吊り金具にねじ止めされ、前記ドレンパンを下方から支持することを特徴とする。
【００１１】
請求項２記載の発明では、空気調和機本体は能力が増大する場合、熱交換器に接続された冷媒配管およびドレン配管を導出する方向に大型化させる一方、補強部材が、冷媒配管およびドレン配管を導出する方向に対して直交する方向に掛け渡されているので、空気調和機本体が大型化しても、補強部材を共通使用することができる。このため、空気調和機本体の大きさに合わせ補強部材を複数種用意する必要がなく、部品コストを抑制することができる。
【００１４】
【発明の実施の形態】
以下、本発明の一実施の形態を、添付図面を参照して説明する。
【００１５】
図１は、本発明の天井埋込型空気調和装置の一実施の形態の断面図である。図１に示すように、この天井埋込型空気調和装置は、板金製の空気調和機本体１を有し、吊りボルト２で天井からつり下げられている。
【００１６】
この空気調和機本体１は、図２の下方に示すように、略四角形の箱形に形成されている。図２中では空気調和機本体１の上方が開口し、天井に埋め込まれた場合、この開口側が被調和室に対向する。
【００１７】
この空気調和機本体１の内側には、発泡スチロール製の断熱体３が、空気調和機本体１の側板１Ａの内面に略接した状態で配置されている。
この断熱体３の高さＨ１は、空気調和機本体１の高さＨ２から、後述するドレンパン１３の高さＨ３を減じた程度の高さに設定されている。
【００１８】
空気調和機本体１の天板１Ｂには、モータ５が固定され、このモータ５のシャフトには羽根車７が取り付けられている。これらが送風機９を構成している。この送風機９を取り囲むように、略四角形状に曲げられた熱交換器１１が、上記発泡スチロール製の断熱体３の内側に配置されている。また、この断熱体３の内側には、後述するドレンパン１３に溜まるドレンを外部に排出するドレンポンプ１２が配置されている。
【００１９】
熱交換器１１の下面１１Ａを覆うように、発泡スチロール製のドレンパン１３が配置され、このドレンパン１３は、高さＨ３を備え、その外周１３Ａが空気調和機本体１の側板１Ａの内面に略接した状態で配置されている。
【００２０】
このドレンパン１３には、補強部材１５Ａ、１５Ｂ、送風機９のノズル１７、電装箱１９等の各種部品がねじ止めされている。
【００２１】
そして、空気調和機本体１の下面には、図１に示すように、化粧パネル２１が取り付けられ、この化粧パネル２１には、吸込口２２と吹出口２３とが形成され、吸込口２２にはフィルタ２５が装着されている。
【００２２】
さらに、空気調和機本体１の側板１Ａの外側には、図２に示すように４個の吊り金具２７Ａ〜２７Ｄが連結され、この吊り金具２７Ａ〜２７Ｄに、前記補強部材１５Ａ、１５Ｂが図３に示すように、ねじ止めされ、この補強部材１５Ａとドレンパン１３とに前記電装箱１９がねじ止めされている。
【００２３】
図３において、１１Ｂは熱交換器１１に接続された冷媒配管を示しており、１０Ａは、ドレンポンプに接続されたドレン配管を示している。
【００２４】
この実施の形態では、上述した補強部材１５Ａ、１５Ｂが、熱交換器１１に接続された冷媒配管１１Ｂおよびドレン配管１２Ａを導出する方向に対して直交する方向に掛け渡されている。
【００２５】
この補強部材１５Ａ、１５Ｂは、空気調和機本体１同様に板金製の部材で構成され、図４に示すように、長さＬ１、高さＴ１、幅Ｗ１を備え、補強部材１５Ａの端部には、吊り金具接続部１５ａ、１５ｂを有しており、補強部材１５Ｂの端部には、吊り金具接続部１５ｃ、１５ｄを有している。これら吊り金具接続部１５ａ〜１５ｄは補強部材１５Ａ、１５Ｂの端部が折り曲げられて形成され、この折り曲げられた端部の略中央にねじ孔２８を備え、このねじ孔２８にねじ３０を貫通させて、図３に示すように、空気調和機本体１の側板１Ａの外側に連結された吊り金具２７Ａ〜２７Ｄにねじ止めされる。
【００２６】
また、この補強部材１５Ａの内側には、図４に示すように、電装箱１９の長辺側１９Ａで電装箱１９を固定する電装箱固定部１６Ａ、１６Ｂを備え、この電装箱固定部１６Ａ、１６Ｂには略中央にねじ孔３２ａが備えられている。
【００２７】
同様に電装箱１９にも、図３に示すように、長辺側１９Ａに補強部材接続部１９Ｂ、１９Ｃを備え、この補強部材接続部１９Ｂ、１９Ｃには略中央にねじ孔３２ｂが備えられている。
【００２８】
これらねじ孔３２ｂとねじ孔３２ａとを重ね合わせ、ねじ３４を貫通させて、ねじ止めし、電装箱１９を補強部材１５Ａに固定している。
【００２９】
さらに、図４に示すように、ドレンパン１３には、補強部材１５Ａ、１５Ｂがはまり込む溝Ｄ１、Ｄ２が形成されている。この溝Ｄ１、Ｄ２の深さは、補強部材１５Ａ、１５Ｂの高さＴ１と略同一である。
【００３０】
また、このドレンパン１３には、電装箱１９を固定するインサート金具３３が装着されている。インサート金具３３は、この実施の形態では、板金製であり、２箇所に設けられており、発泡スチロール製のドレンパン１３に埋め込まれて、一体的に形成されている。このインサート金具３３の略中央には、ねじ止め用のねじ孔３８ａが設けられている。また、電装箱１９では、電装箱１９の両方の短辺側にインサート金具接続部３６が設けられ、このインサート金具接続部３６の略中央には、ねじ止め用のねじ孔３８ｂが設けられている。これらねじ孔３８ｂからねじ孔３８ａにねじ４０を貫通させて、ねじ止めし、電装箱１９をドレンパン１３に固定させている。
【００３１】
この実施の形態では、空気調和機本体１の能力が増大した場合、冷媒配管１１Ｂとドレン配管１２Ａとの取り回しのために冷媒配管１１Ｂとドレン配管１２Ａとの設置幅Ｗ２を一定に保ったまま、図５に示すように熱交換器１１に接続された冷媒配管１１Ｂ及びドレン配管１２Ａを導出する方向に長さＬ２から長さＬ３に大型化させている。
【００３２】
尚、図３に示すドレンパン１３の空気調和機本体１の能力は２．８ｋＷ〜９ｋＷであり、図５に示すドレンパン１３の空気調和機本体１の能力は１１．２ｋＷ〜１６ｋＷである。
【００３３】
本実施形態では、空気調和機本体１の能力が増大した場合、図５に示すように熱交換器１１に接続された冷媒配管１１Ｂ及びドレン配管１２Ａを導出する方向に長さＬ２から長さＬ３に大型化させる一方、補強部材１５Ａ、１５Ｂは、この導出方向とは無関係に、上記導出方向に直交する方向に掛け渡されているので、空気調和機本体１の大小にかかわらず、補強部材１５Ａ、１５Ｂを共通化することができる。従って、従来のように補強部材１５Ａ、１５Ｂを複数種用意する必要がなく、部品コストを抑制することができる等の効果を奏する。
【００３４】
【発明の効果】
本発明によれば、補強部材が、冷媒配管およびドレン配管を導出する方向に対して直交する方向に掛け渡されているので、例えば、空気調和機本体が冷媒配管およびドレン配管を導出する方向に大型化しても、補強部材を共通使用することができる。このため、空気調和機本体の大きさに合わせ補強部材を複数種用意する必要がなく、部品コストを抑制することができる。
【図面の簡単な説明】
【図１】本発明の空気調和装置の一実施の形態を示す断面図である。
【図２】図１に示す空気調和装置の分解斜視図である。
【図３】ドレンパンと補強部材との平面図である。
【図４】ドレンパンと補強部材との斜視図である。
【図５】能力が増大したときのドレンパンと補強部材との斜視図である。
【符号の説明】
１  空気調和機本体
９  送風機
１１  熱交換器
１１Ｂ  冷媒配管
１２Ａ  ドレン配管
１３  ドレンパン
１５Ａ、１５Ｂ  補強部材
１９  電装箱
２１  化粧パネル
３３  インサート金具
【図１】
0003863695.tif 000002
【図２】
0003863695.tif 000003
【図３】
0003863695.tif 000004
【図４】
0003863695.tif 000005
【図５】
0003863695.tif 000006